(57)【要約】【課題】バンドヒータとその外周に巻きつけられる加熱対象との間に隙間を生じることなく常に密着性が維持され、バンドヒータの加熱性能が低下することがないバンドヒータとそれを用いたオーブンを提供する。【解決手段】バンドヒータ１の両端部の一方側の連結部５ａに貫通孔を穿設してロッド６を挿通するとともに、ロッド６の先端部をバンドヒータ１の他方側の連結部５ｂに固定し、ロッド６の他端部に貫通孔より外径の大きなワッシャ７を挿設する。ワッシャ７とバンドヒータ１の連結部５ａとの間に圧縮バネ９を配設してなる係止機構１０により、バンドヒータ１の両連結部５ａ、５ｂを連結して、圧縮バネ９の弾性力の作用のもとに、バンドヒータ１を加熱対象（オーブン２の側面壁４）の外周に巻きつけて取り付ける。【選択図】          図１
2015111601.tif 000002
【特許請求の範囲】
【請求項１】
バンドヒータの両端部に外方向に突起した連結部を設け、前記連結部の一方側に貫通孔を穿設し、前記貫通孔にロッドを挿通するとともに、ロッドの先端部を前記バンドヒータの前記連結部の他方側に固定し、前記ロッドの他端部に前記貫通孔より外径の大きな鍔部を形成し、前記鍔部と前記バンドヒータの連結部の一方側との間に圧縮バネを配設してなる係止機構により前記バンドヒータの前記両端部を連結したことを特徴とするバンドヒータ。
【請求項２】
バンドヒータの両端部に外方向に突起した連結部を設け、前記両連結部に貫通孔を穿設し、前記貫通孔にロッドを挿通するとともに、ロッドの両端部に前記貫通孔より外径の大きな鍔部を形成し、前記鍔部と前記バンドヒータの前記両連結部との間の一方または両方に圧縮バネを配設してなる係止機構により前記バンドヒータの前記両端部を連結したことを特徴とするバンドヒータ。
【請求項３】
オーブン室内を形成する側面壁外周に加熱手段を巻きつけてその室内を一定温度に保つオーブンにおいて、前記加熱手段として請求項１または２に記載のバンドヒータを用いたことを特徴とするオーブン。
【発明の詳細な説明】
【技術分野】
【０００１】
本発明は、バンドヒータおよびバンドヒータを用いたオーブンに関し、特に、加熱対象の外周に巻きつけて用いるバンドヒータの係止機構に関する。
【背景技術】
【０００２】
分析機器に用いる試薬や分析試料は、その分析条件によって長時間にわたり一定温度に保つ必要があるが、通常、それら試薬や分析試料はバイアル内に収容され、これをオーブンの室内に収納して一定温度に維持するようにしている。しかも、この種オーブンの温度領域としては、低温域（室温〜約１００℃）から高温域（約２００℃〜約３００℃）までの幅広い温度領域で使用されるのが普通である。
このようなオーブンの加熱手段としては、たとえば、バンドヒータがオーブンの室内を形成する側面壁の外周に巻きつけられて用いられる。
また、オーブンの側面壁の材料には、加熱の均一性や効率を高めるため、伝熱性に優れた純アルミニウムまたはアルミニウム合金などが用いられることが多い。
【０００３】
一般的なバンドヒータは、通電により発熱するニクロム線を耐熱マイカ板で絶縁し、ステンレス鋼板（ＳＵＳ）で外装した薄肉円筒形のヒータであるが、このようなバンドヒータを加熱対象（筒状部材）の外周へ装着固定する係止手段としては、たとえば、特許文献１には、平行な状態で間隔を隔てて配置された二つの軸部を有し、一方の軸部がハウジング（ヒータ）の一方の端部に周方向に回動自在に係止された掛け具と、ハウジングの他方の端部に設けられ、掛け具の他方の軸部が係脱自在に係止されるフック部とを有し、掛け具が、一方の軸部と他方の軸部とを、各軸部の間で各軸部と平行に設けられた第三の軸部で揺動可能な状態で保持する構造、たとえば、一方の軸部をもつ板状の本体と他方の軸部をもつとともに第三の軸部で板状の本体に接続された自由辺部とを備えたクランプ機構が記載されている（図１参照）。
【０００４】
また、特許文献２には、バンドヒータ本体を、加熱対象の筒状部材に巻装した後、治具本体の係止長孔にバンドヒータ本体の一方の座金部を挿入係止し、かつ、治具の掛止具自由辺部を、バンドヒータ本体の他方の座金部に係止させ、この状態から板状部材を回動させることで、バンドヒータ本体の両端部を引き寄せつつ、バンドヒータ本体に装着された掛け具の一辺を、バンドヒータ本体の他方のフック部に係止させてバンドヒータ本体の両端部を連結する構成が記載されている（図１参照）。
【０００５】
さらに、ハウジング（ヒータ）の両端部から外方に突設された連結筒部をもち、この連結筒部を貫通する螺子孔にボルトナットを装着して、これを緊締することで加熱対象の筒状部材の外周に装着固定する構造が記載されている（図６、図７参照）
【先行技術文献】
【特許文献】
【０００６】
【特許文献１】特開２００７−８７９０５号公報
【特許文献２】特開２０００−１８４７３号公報
【発明の概要】
【発明が解決しようとする課題】
【０００７】
しかしながら、従来のクランプ機構やボルトナットのように剛性の高い部品で加熱対象の筒状部材に係止または緊締する構成のバンドヒータを、バイアルを暖めるオーブンのように幅広い温度領域の加熱手段として使用するにあたっては、従来の設計では、低温域での使用時におけるバンドヒータとオーブンの側面壁外周との密着性を保つように調整される。したがって、高温域の温度領域においては、純アルミニウムまたはアルミニウム合金などの伝熱性に優れた材料で作製されたオーブンの側面壁とステンレス鋼板（ＳＵＳ）で外装したバンドヒータには熱膨張率に大きな差があるため、オーブンの側面壁は剛性が失われると同時に大きく膨張し、あまり膨張しないバンドヒータによってオーブンの側面壁が過度に締め付けられ変形することまたは歪むことがあった。
【０００８】
逆に、高温域での使用時におけるオーブンの側面壁の膨張をあらかじめ想定してオーブンの側面壁外周にある程度の隙間をもってバンドヒータを係止または緊締する場合には、低温域ではバンドヒータが緩み、オーブンの側面壁とバンドヒータとの間の密着性が悪くなり、加熱能力および加熱の均一性が低下する問題があった。
【０００９】
本発明は、このような従来技術の課題を解決するため、バイアルを暖めるオーブンのような低温域から高温域の幅広い温度領域においても効率よく加熱対象の筒状部材（オーブンの側面壁）を加熱することができるように、バンドヒータをその外周に容易かつ好適に取り付ける係止機構を備えたバンドヒータおよびそのようなバンドヒータを用いたオーブンを提供することを目的としている。
【課題を解決するための手段】
【００１０】
上記課題を解決するため、請求項１記載の本発明のバンドヒータは、バンドヒータの両端部に外方向に突起した連結部を設け、連結部の一方側に貫通孔を穿設し、貫通孔にロッドを挿通するとともに、ロッドの先端部をバンドヒータの連結部の他方側に固定し、ロッドの他端部に貫通孔より外径の大きな鍔部を形成し、鍔部とバンドヒータの連結部の一方側との間に圧縮バネを配設してなる係止機構によりバンドヒータの両端部を連結し、圧縮バネの弾性力を利用して、バンドヒータを加熱対象の筒状部材（オーブンの側面壁）に取り付けるようにしたものである。
【００１１】
ロッドの先端部をバンドヒータの連結部の他方側に固定するにあたっては、好適には、ロッドとして先端部に雄ネジが切られたネジ棒を用い、バンドヒータの連結部の他方側にはネジ穴（雌ネジ）を切っておき、ロッドの先端部（雄ネジ）をバンドヒータの連結部の他方側のネジ穴にねじ込むことにより行う。
なお、ロッドの他端部の鍔部としてワッシャを用いることができ、また、ネジ棒の頭部を代用することもできる。また、バンドヒータの両端部に設ける外方向に突起した連結部
は、バンドヒータの両端部を外方向に折り曲げて形成することもできる。
【００１２】
また、請求項２記載の本発明のバンドヒータは、バンドヒータの両端部に外方向に突起した連結部を設け、両連結部に貫通孔を穿設し、貫通孔にロッドを挿通するとともに、ロッドの両端部に貫通孔より外径の大きな鍔部を形成し、鍔部とバンドヒータの両連結部との間の一方または両方に圧縮バネを配設してなる係止機構によりバンドヒータの両端部を連結し、圧縮バネの弾性力を利用して、バンドヒータを加熱対象の筒状部材（オーブンの側面壁）に取り付けるようにしたものである。
なお、鍔部とバンドヒータの両連結部との間のいずれか一方側にのみ圧縮バネを配設した場合には、ロッドの他方側はバンドヒータの連結部の他方側に作用的には固定された状態となる。
【００１３】
さらに、請求項３記載の本発明のオーブンは、オーブン室内を形成する側面壁外周に加熱手段を巻きつけてその室内を一定温度に保つオーブンにおいて、加熱手段として請求項１または２に記載のバンドヒータを用いたものである。
【発明の効果】
【００１４】
本発明のバンドヒータによれば、バンドヒータの両端部を圧縮バネの弾性力により連結するようにしているので、加熱対象の筒状部材（オーブンの側面壁）とバンドヒータの熱膨張率が異なる場合であっても、膨張と収縮を圧縮バネが吸収し、常にバンドヒータは加熱対象の筒状部材との間に隙間が生じることなく良好な密着性が維持され、加熱性能が低下することはない。
【００１５】
特に、低温域から高温域の幅広い温度領域において使用するオーブンであっても、温度変化によるオーブンの側面壁の膨張と収縮を圧縮バネが吸収し、オーブンの側面壁を変形させることなく良好な密着性を保つことができ、結果としてオーブンを高温に保つことができる効果がある。また、オーブンの純アルミニウムまたはアルミニウム合金製の側面壁がバンドヒータにより過度に締め付けられて変形することがないので、常に密着性が維持され温度勾配もつかずバンドヒータの寿命も長くなる。
【００１６】
このように本発明のバンドヒータによれば、圧縮バネの弾性力によりバンドヒータの両連結部を互いに近づける方向に作用させるので、圧縮バネの弾性力が均一にバンドヒータに作用し、膨張と収縮の影響を受けることなく密着性を高めることができる。
【図面の簡単な説明】
【００１７】
【図１】本発明のバンドヒータを巻きつけたオーブンの実施形態を示す斜視図である。
【図２】図１に示した本発明のバンドヒータの係止機構の実施形態を示す図である。
【図３】本発明のバンドヒータの他の係止機構の実施形態を示す図である。
【図４】本発明のバンドヒータのさらに他の係止機構の実施形態を示す図である。
【発明を実施するための形態】
【００１８】
以下、図を使って、本発明のバンドヒータおよびそのようなバンドヒータを用いたオーブンの実施形態の一例を説明する。
【００１９】
図１は、本発明の実施形態であるバンドヒータを巻きつけたオーブンの実施形態を示す斜視図であり、図２は、図１に示した本発明のバンドヒータの係止機構の実施形態を示す図である。
図１において、本発明のバンドヒータ１は、試薬や分析試料などを収容したバイアル（図示せず）が収納されるオーブン２の室内３を形成する側面壁４の外周に巻きつけられている。バンドヒータ１の構成は、たとえば、導線（図示せず）を通して通電により発熱するニクロム線を耐熱マイカ板で絶縁し、ステンレス鋼板（ＳＵＳ）で外装した薄型円筒形のヒータであるが、これ以外にも種々のものを用いることができる。
また、オーブン２の側面壁４を形成する材料としては、加熱の均一性や効率を高めるため、伝熱性に優れた純アルミニウムまたはアルミニウム合金などが用いられる。
【００２０】
バンドヒータ１の両端部には、外方向に突起した状態で連結部５ａ、５ｂが設けられている。図示の実施形態では、突出した連結部５ａ、５ｂは棒状の部材で形成しているが、この棒状部材の代わりにバンドヒータ１の両端部を外方向に折り曲げて連結部５ａ、５ｂとすることもできる。また、連結部５ａ、５ｂを含めてバンドヒータ１の両端部にはバンドヒータ１の係止機構１０を備えている。係止機構１０の詳細を図２を参照しながら説明する。
【００２１】
図２において、一方側の連結部５ａには貫通孔１１が穿設されており、その貫通孔１１にロッド６が挿通されている。ロッド６は先端部に雄ネジが切られたネジ棒である。バンドヒータ１の他方側の連結部５ｂにはネジ穴（雌ネジ）が切られており、貫通孔１１に挿通されたロッド６の先端部（雄ネジ）をその連結部５ｂのネジ穴にねじ込むことにより、ロッド６は連結部５ｂに固定される。なお、８はナットであり、ロッド６を連結部５ｂに最終的に固定するためのものである。また、このナット８はなくてもよい。
【００２２】
ロッド６の他端部には、貫通孔１１より外径の大きな鍔部としてワッシャ７が挿入されている。ワッシャ７に代えネジ棒の頭部を鍔部とすることもできる。ワッシャ７とバンドヒータ１の一方側の連結部５ａとの間には圧縮バネ９が介設されている。この圧縮バネ９の弾性力により、矢印で示すように、バンドヒータ１の連結部５ａ、５ｂが互いに近づくように引っ張られて、バンドヒータ１はオーブン２の側面壁４の外周に適度な密着度をもって取り付けられることになる。
【００２３】
バンドヒータ１の両端部は、このような係止機構１０により連結され、圧縮バネ９の弾性力のもとに、バンドヒータ１はオーブン２の室内３を形成する側面壁４の外周に効果的に取り付けられるので、オーブン２の側面壁（純アルミニウムまたはアルミニウム合金）４とバンドヒータ（ＳＵＳ）１の熱膨張率が異なる場合であっても、その熱膨張率の相違による膨張と収縮を圧縮バネ９が吸収し、常にバンドヒータ１はオーブン２の側面壁４との間に隙間を生じることなく密着性が維持され、加熱性能が低下することがない。
【００２４】
特に、試薬や分析試料を収容したバイアルを長時間にわたり一定温度に保つオーブン２のような低温域から高温域の幅広い温度領域における加熱手段として、このようなバンドヒータ１を用いるとき、温度変化によるオーブン２の側面壁４の膨張と収縮を圧縮バネ９が吸収し、オーブン２の側面壁４を変形させずに密着性を保つことができ、結果としてオーブン２を高温に保つことができる。また、オーブン２の側面壁４が変形することがないので温度勾配もつかず、バンドヒータ１の寿命も長くなる。
【００２５】
図３には、係止機構１０の他の実施形態を示す。図３において、バンドヒータ１の両連結部５ａ、５ｂにそれぞれ貫通孔１１ａ、１１ｂが穿設され、その貫通孔１１ａ、１１ｂにボルトのロッド６が挿通されている。ロッド６の両端部には、貫通孔１１ａ、１１ｂより外径の大きな鍔部としてワッシャ７が挿入されている。ワッシャ７に代えロッド（ネジ棒）６の頭部およびネジ棒に嵌合するナット８を鍔部として代用することもできる。ワッシャ７とバンドヒータ１の一方側の連結部５ａとの間には圧縮バネ９が介設されている。
【００２６】
すなわち、図３の実施形態では、図２の実施形態と比較して、ロッド６の先端部が他方側の連結部５ｂに機械的に固定（ネジ止め）されていない点で相違するが、作用的には固定されている状態といえる。すなわち、圧縮バネ９の弾性力の作用により、矢印で示すように、バンドヒータ１の連結部５ａ、５ｂは互いに近づくように引っ張られて、バンドヒータ１がオーブン２の側面壁４の外周に適度な密着度をもって巻きつけられる構成は、図２の実施形態と同様である。
【００２７】
図４には、係止機構１０のさらに他の実施形態を示す。図４において、バンドヒータ１の両連結部５ａ、５ｂにそれぞれ貫通孔１１ａ、１１ｂが穿設され、その貫通孔１１ａ、１１ｂにロッド６が挿通されている。このような構成は図３の実施形態と同じであるが、ロッド６の両端部には、貫通孔１１ａ、１１ｂより外径の大きな鍔部としてワッシャ７がそれぞれ挿入され、ワッシャ７とバンドヒータ１の両連結部５ａ、５ｂとの間にそれぞれ圧縮バネ９が配設されている点で相違する。この実施形態では、圧縮バネ９の弾性力はバンドヒータ１の両連結部５ａ、５ｂの両方に均等に負荷される。
このような係止機構１０により、バンドヒータ１の両連結部５ａ、５ｂをバネの弾性力により互いに近づける方向に作用させることができ、圧縮バネ９の弾性力が均一にバンドヒータ１に負荷され、密着性をより高めることができる。
【００２８】
なお、図４において、ワッシャ７とバンドヒータ１の両連結部５ａ、５ｂのいずれか一方側にのみ圧縮バネ９が介設される場合には、図３の実施形態と同一の構成となる。
【符号の説明】
【００２９】
１  バンドヒータ
２  オーブン
３  室内
４  側面壁
５ａ、５ｂ  連結部
６  ロッド
７  ワッシャ
８  ナット
９  圧縮バネ
１０  係止機構
１１、１１ａ、１１ｂ  貫通孔
【図２】
2015111601.tif 000003
【図３】
2015111601.tif 000004
【図４】
2015111601.tif 000005
【図１】
2015111601.tif 000006